(57)【要約】【課題】ブラシに強固に付着しているトナーを効果的に掻き落とすことができる画像形成装置を提供する。【解決手段】カム溝３０が回転帯電ブラシ２２の軸方向と略直交する方向に対して傾斜するように形成されているため、カム部材２８の回転と共にカムコロ４０を接続した清掃ブラシ３２がカム溝３０の傾斜度を回転帯電ブラシ２２の軸方向に投影した距離Ｓを最大移動距離として回転帯電ブラシ２２の軸方向に移動する。清掃ブラシ３２が回転帯電ブラシ２２の軸方向に移動すると、回転帯電ブラシ２２の導電性繊維体２６に付着したトナーＴが清掃ブラシ３２の植毛部材３６により掻き落とされる。このように、清掃ブラシ３２が回転帯電ブラシ２２の軸方向に移動しながらトナーＴを掻き落とすことにより、回転帯電ブラシ２２の導電性繊維体２６に強固に付着したトナーＴも確実に掻き落とすことができる。【選択図】      図２
2007003956.tif 000002
【特許請求の範囲】
【請求項１】
感光体ドラムと、自軸回りに回転可能に設けられ前記感光体ドラムに接触しているブラシと、を有する画像形成装置であって、
前記ブラシの軸方向に移動可能に設けられ、前記ブラシに付着したトナーを掻き落とす清掃部材を有することを特徴とする画像形成装置。
【請求項２】
感光体ドラムと、自軸回りに回転可能に設けられ前記感光体ドラムに接触しているブラシと、を有する画像形成装置であって、
前記ブラシに付着したトナーを掻き落とす清掃部材と、
前記清掃部材を前記ブラシの軸方向に移動させる移動部材と、
を有することを特徴とする画像形成装置。
【請求項３】
前記清掃部材の前記ブラシの軸方向への移動を案内するとともに、前記ブラシの周方向への移動を規制する前記ガイド部材を設けたことを特徴とする請求項１又は２に記載の画像形成装置。
【請求項４】
前記移動部材は、外周に前記ブラシの軸方向と略直交する方向に対して傾斜するように形成されたカム溝を有し前記ブラシの回転軸に前記回転軸と共に回転するように設けられたカム部材と、前記清掃部材に取り付けられ前記カム部材の回転と共に前記カム溝に沿って移動するカムコロと、で構成されることを特徴とする請求項２又は３に記載の画像形成装置。
【請求項５】
前記移動部材は、前記ブラシの軸方向と略直交する方向に対して傾斜した斜面を有し前記ブラシの回転軸に前記回転軸と共に回転するように設けられたカム部材と、前記回転軸の回転に伴い前記カム部材の傾斜面からの押圧力を前記清掃部材に対して前記ブラシの軸方向に作用させる押圧部材と、前記押圧部材からの押圧力に対抗するように付勢力を前記清掃部材に作用させる付勢部材と、で構成されることを特徴とする請求項２又は３に記載の画像形成装置。
【請求項６】
前記清掃部材の軸方向長さは、前記ブラシの軸方向長さよりも短いことを特徴とする請求項１乃至５のいずれか１項に記載の画像形成装置。
【請求項７】
前記ブラシは、繊維で構成されたブラシ側繊維部を有し、
前記清掃部材は、前記ブラシ側繊維部と接触し繊維で構成された清掃側繊維部を有し、
前記清掃側繊維部の線径は、前記ブラシ側繊維部の線径よりも大きいことを特徴とする請求項１乃至６のいずれか１項に記載の画像形成装置。
【請求項８】
前記ブラシは、繊維で構成されたブラシ側繊維部を有し、
前記清掃部材は、前記ブラシ側繊維部と接触し金属又は樹脂で構成されたフリッカ部を有することを特徴とする請求項１乃至６のいずれか１項に記載の画像形成装置。
【発明の詳細な説明】
【技術分野】
【０００１】
本発明は、電子写真方式採用の画像形成装置に関する。
【背景技術】
【０００２】
一般に、電子写真方式の画像形成装置は、帯電ブラシによって感光体ドラムを一様に帯電させ、その感光体ドラムにＬＥＤプリントヘッドにより、画像情報に対応する静電潜像を形成し、現像ローラにより感光体ドラム上の静電潜像にトナーが付着されて、感光体ドラム上にトナー画像を形成する。そして、転写ローラにより、感光体ドラム上のトナー画像が用紙に転写される。トナー画像の転写後は、加熱ローラとプレスローラにより用紙が加熱・加圧されて、トナー画像が用紙に定着される。
【０００３】
ここで、感光体ドラムに接触して帯電させる帯電ブラシの近傍に、多数本の毛体からなるブラシ部と、ブラシ部を支持する支持部とから構成されるフリッカを設け、フリッカの毛体と帯電ブラシの回転方向の下流側に傾けて設けてある毛体を接触させ、帯電ブラシを回転させると、フリッカの毛体と帯電ブラシの毛体とが絡み合い、帯電ブラシの毛体に付着しているトナーを帯電ブラシから飛散させる画像形成装置が知られている（下記特許文献１参照）。
【特許文献１】特開２００４−２５１９４０号公報
【発明の開示】
【発明が解決しようとする課題】
【０００４】
ところが、画像形成装置では、フリッカが固定されているため、帯電ブラシの毛体に強固に付着しているトナーを掻き落とすことができない問題がある。この結果、帯電ブラシの毛体にトナーが残留することになり、この残留トナーが感光体ドラムに再度付着するため、感光体ドラムに形成される静電潜像に悪影響を及ぼすことになる。
【０００５】
そこで、本発明は、上記事情を考慮し、感光体ドラムに接触しているブラシに強固に付着しているトナーを効果的に掻き落とすことができる画像形成装置を提供することを目的とする。
【課題を解決するための手段】
【０００６】
請求項１に記載の発明は、感光体ドラムと、自軸回りに回転可能に設けられ前記感光体ドラムに接触しているブラシと、を有する画像形成装置であって、前記ブラシの軸方向に移動可能に設けられ、前記ブラシに付着したトナーを掻き落とす清掃部材を有することを特徴とする。
【０００７】
請求項１に記載の発明によれば、清掃部材がブラシの軸方向に移動可能に設けられているため、清掃部材がブラシの軸方向に移動しながらブラシに付着したトナーが掻き落とされる。このように、清掃部材がブラシの軸方向に移動しながらトナーを掻き落とすため、ブラシに強固に付着したトナーを確実に掻き落とすことができる。このようなブラシとして、感光体ドラムの表面を帯電させる帯電ブラシ、感光体ドラムの表面から残留トナーや紙粉などの異物を回収するクリーニングブラシが挙げられる。
【０００８】
請求項２に記載の発明は、感光体ドラムと、自軸回りに回転可能に設けられ前記感光体ドラムに接触しているブラシと、を有する画像形成装置であって、前記ブラシに付着したトナーを掻き落とす清掃部材と、前記清掃部材を前記ブラシの軸方向に移動させる移動部材と、を有することを特徴とする。
【０００９】
請求項２に記載の発明によれば、清掃部材が移動部材によりブラシの軸方向に移動され、ブラシに付着したトナーが掻き落とされる。このように、清掃部材がブラシの軸方向に移動しながらトナーを掻き落とすため、ブラシに強固に付着したトナーを確実に掻き落とすことができる。
【００１０】
請求項３に記載の発明は、請求項１又は２に記載の画像形成装置において、前記清掃部材の前記ブラシの軸方向への移動を案内するとともに、前記ブラシの周方向への移動を規制する前記ガイド部材を設けたことを特徴とする。
【００１１】
請求項３に記載の発明によれば、ガイド部材により清掃部材のブラシの軸方向への移動が案内されるとともに、ブラシの周方向への移動が規制される。これにより、清掃部材のブラシの軸方向への移動を円滑に行うことができ、またブラシの回転に伴い清掃部材がブラシの周方向に移動（連れ回り）することがない。これにより、ブラシに強固に付着したトナーを確実に除去することができる。
【００１２】
請求項４に記載の発明は、請求項２又は３に記載の画像形成装置において、前記移動部材は、外周に前記ブラシの軸方向と略直交する方向に対して傾斜するように形成されたカム溝を有し前記ブラシの回転軸に前記回転軸と共に回転するように設けられたカム部材と、前記清掃部材に取り付けられ前記カム部材の回転と共に前記カム溝に沿って移動するカムコロと、で構成されることを特徴とする。
【００１３】
請求項４に記載の発明によれば、カム部材がブラシの回転軸と共に回転すると、カムコロがカム部材の外周面に形成されたカム溝に沿って移動する。ここで、カム溝がブラシの軸方向と略直交する方向に対して傾斜するように形成されているため、カム部材の回転と共にカムコロを接続した清掃部材がブラシの軸方向に移動する。このように、簡易な構成で清掃部材をブラシの軸方向に移動させることができる。
【００１４】
請求項５に記載の発明は、請求項２又は３に記載の画像形成装置において、前記移動部材は、前記ブラシの軸方向と略直交する方向に対して傾斜した斜面を有し前記ブラシの回転軸に前記回転軸と共に回転するように設けられたカム部材と、前記回転軸の回転に伴い前記カム部材の傾斜面からの押圧力を前記清掃部材に対して前記ブラシの軸方向に作用させる押圧部材と、前記押圧部材からの押圧力に対抗するように付勢力を前記清掃部材に作用させる付勢部材と、で構成されることを特徴とする。
【００１５】
請求項５に記載の発明によれば、ブラシの回転軸が回転すると、カム部材も回転軸と共に回転する。カム部材にはブラシの軸方向と略直交する方向に対して傾斜した斜面が設けられているため、カム部材の回転と共に傾斜面からの押圧力が押圧部材により清掃部材に対してブラシの軸方向に作用する。ここで、清掃部材には押圧部材からの押圧力に対抗するように付勢部材により付勢力が作用されているため、押圧部材からの押圧力と付勢部材からの付勢力との力関係により、清掃部材がブラシの軸方向に移動することになる。換言すると、押圧部材からの押圧力が付勢部材からの付勢力よりも大きい場合には、清掃部材は、押圧部材からの押圧力が作用する側に移動し、付勢部材からの付勢力が押圧部材からの押圧力よりも大きい場合には、付勢部材からの付勢力が作用する側に移動する。このように、簡易な構成で清掃部材をブラシの軸方向に移動させることができる。
【００１６】
請求項６に記載の発明は、請求項１乃至５のいずれか１項に記載の画像形成装置において、前記清掃部材の軸方向長さは、前記ブラシの軸方向長さよりも短いことを特徴とする。
【００１７】
請求項６に記載の発明によれば、清掃部材はブラシの軸方向に移動するため、清掃部材の軸方向長さがブラシの軸方向長さよりも短く構成されている場合でも、ブラシの全範囲に強固に付着したトナーを確実に掻き落とすことができる。加えて、清掃部材の寸法を小さくすることができ、製造コストの低コスト化及び清掃部材の設置スペースの省スペース化を実現することができる。
【００１８】
請求項７に記載の発明は、請求項１乃至６のいずれか１項に記載の画像形成装置において、前記ブラシは、繊維で構成されたブラシ側繊維部を有し、前記清掃部材は、前記ブラシ側繊維部と接触し繊維で構成された清掃側繊維部を有し、前記清掃側繊維部の線径は、前記ブラシ側繊維部の線径よりも大きいことを特徴とする。
【００１９】
請求項７に記載の発明によれば、清掃側繊維部の線径がブラシ側繊維部の線径よりも大きいため、清掃側繊維部の剛性がブラシ側繊維部の剛性よりも高くなる。これにより、ブラシ側繊維部に強固に付着したトナーを確実に掻き落とすことができる。
【００２０】
請求項８に記載の発明は、請求項１乃至６のいずれか１項に記載の画像形成装置において、前記ブラシは、繊維で構成されたブラシ側繊維部を有し、前記清掃部材は、前記ブラシ側繊維部と接触し金属又は樹脂で構成されたフリッカ部を有することを特徴とする。
【００２１】
請求項８に記載の発明によれば、清掃部材は金属又は樹脂で構成されたフリッカ部を有するため、フリッカ部の剛性がブラシ側繊維部の剛性よりも高くなる。これにより、ブラシ側繊維部に強固に付着したトナーを確実に掻き落とすことができる。
【発明の効果】
【００２２】
本発明によれば、ブラシに強固に付着しているトナーを効果的に掻き落とすことができる。
【発明を実施するための最良の形態】
【００２３】
次に、本発明の第１実施形態に係る画像形成装置について、図面を参照して説明する。
【００２４】
図１に示すように、画像形成装置は、ドラムユニット１０と現像器ユニット１２とが隣接して配置されている。このドラムユニット１０の下側には、転写ローラ１４が配置されている。また、ドラムユニット１０と現像器ユニット１２とはそれぞれ個別に画像形成装置本体から取り外し可能となっている。
【００２５】
ドラムユニット１０には、感光体ドラム１６が設けられている。この感光体ドラム１６には回転軸１８が取り付けられており、感光体ドラム１６が回転軸１８の軸回りに回転可能となっている。この感光体ドラム１６は、外周面に光導電膜を有する感光体であり、アースされており、ドラムユニット１０外に設置された駆動源（図示省略）により矢印Ａ方向に回転駆動される。
【００２６】
また、ドラムユニット１０の上部には、露光器２０が感光体ドラム１６と対面するように取り付けられている。この露光器２０は、多数のＬＥＤを有しており、入力された画情報に基づいて感光体ドラム１６の外周面に光を照射する。この光の照射に伴い、感光体ドラム１６の外周面において、光が照射された照射部位（画情報の黒に対応する部位）の電位と、光が照射されない非照射部位（画情報の白に対応する部位）の電位と、の間で電位差が生じる。その結果、感光体ドラム１６の外周面には、画情報に対応する静電潜像が形成される。
【００２７】
また、感光体ドラム１６の近傍には、回転帯電ブラシ２２が配置されている。この回転帯電ブラシ２２は、回転軸２４を有しており、回転軸２４と共に軸回り（図１中矢印Ｂ方向）に回転可能となっている。また、回転帯電ブラシ２２の外周には感光体ドラム１６の外周面と接触する多数の導電性繊維体２６が植設されており、その導電性繊維体２６に所定のバイアス電圧が印加される。回転帯電ブラシ２２にバイアス電圧が印加されることによって、感光体ドラム１６の外周面が帯電される。
【００２８】
また、図２及び図３に示すように、回転帯電ブラシ２２の回転軸２４には、回転軸２４と共に軸回りに回転するカム部材２８が同軸に取り付けられている。このカム部材２８の外周面には、回転帯電ブラシ２２の軸方向と略直交する方向に対して傾斜したカム溝３０が全周にわたって形成されている。
【００２９】
また、図１及び図２に示すように、回転帯電ブラシ２２の近傍には、清掃ブラシ３２が配置されている。この清掃ブラシ３２は、直方体状のベース部材３４と、ベース部材３４の回転帯電ブラシ２２側と対向する側面に取り付けられ繊維で構成された植毛部材３６と、を有している。この清掃ブラシ３２の植毛部材３６の線径は、回転帯電ブラシ２２の導電性繊維体２６の線径よりも大きくなるように設定されている。また、清掃ブラシ３２の軸方向長さは、回転帯電ブラシ２２の軸方向長さと比較して短くなるように設定されている。
【００３０】
また、図３に示すように、清掃ブラシ３２のベース部材３４には、略Ｌ字状の接続部材３８が取り付けられている。この接続部材３８の先端部には、カム溝３０に収容されカム溝３０に沿って移動するカムコロ４０が取り付けられている。これにより、カム部材３０が軸回りに回転すると、カム溝３０の傾斜度を回転帯電ブラシ２２の軸方向（図３中矢印Ｃ方向）に投影した距離Ｓだけ、清掃ブラシ３２が回転帯電ブラシ２２の軸方向（図３中矢印Ｃ方向）に沿って移動する。
【００３１】
また、清掃ブラシ３２の近傍には、清掃ブラシ３２を覆うように清掃ブラシガイド４２が配置されている。この清掃ブラシガイド４２により、清掃ブラシ３２の回転帯電ブラシ２２の軸方向への移動が円滑に行われると共に、回転帯電ブラシ２２の回転に伴い清掃ブラシ３２が回転帯電ブラシ２２の周方向に移動することが規制される。
【００３２】
また、ドラムユニット１０の近傍の現像器ユニット１２には、トナーＴを貯留するためのトナーケース４４が設けられている。このトナーケース４４の下側には、供給ローラ４６が配置されている。また、供給ローラ４６と感光体ドラム１６との間には、現像ローラ４８が配置されている。供給ローラ４６及び感光体ドラム１６は、現像器ユニット１２外に設けられた駆動源（図示省略）により、それぞれ回転駆動される。
【００３３】
供給ローラ４６及び現像ローラ４８に所定のバイアス電圧が印加されることにより、トナーケース４４の内部のトナーＴが供給ローラ４６及び現像ローラ４８を介して感光体ドラム１６の外周面に移送され、感光体ドラム１６の外周面上に静電潜像に基づいたトナー画像が形成される。
【００３４】
次に、本実施形態に係る画像形成装置の作用について説明する。
【００３５】
図１及び図２に示すように、回転帯電ブラシ２２が回転すると、回転帯電ブラシ２２の回転軸２４と共にカム部材２８が回転する。カム部材２８が回転すると、カムコロ４０がカム部材２８のカム溝３０に沿って移動する。
【００３６】
ここで、図３に示すように、カム溝３０が回転帯電ブラシ２２の軸方向と略直交する方向に対して傾斜するように形成されているため、カム部材２８の回転と共にカムコロ４０を接続した清掃ブラシ３２がカム溝３０の傾斜度を回転帯電ブラシ２２の軸方向に投影した距離Ｓを最大移動距離として回転帯電ブラシ２２の軸方向（図３中矢印Ｃ方向）に移動する。清掃ブラシ３２が回転帯電ブラシ２２の軸方向に移動すると、回転帯電ブラシ２２の導電性繊維体２６に付着したトナーＴが清掃ブラシ３２の植毛部材３６により掻き落とされる。このように、清掃ブラシ３２が回転帯電ブラシ２２の軸方向に移動しながらトナーＴを掻き落とすことにより、回転帯電ブラシ２２の導電性繊維体２６に強固に付着したトナーＴも確実に掻き落とすことができる。この結果、感光体ドラム１６に帯電不良が生じることを防止でき、感光体ドラム１６に形成される静電潜像に悪影響を及ぼすことを防止できる。
【００３７】
また、カム部材２６とカムコロ４０とを用いることにより、簡易な構成で掃除ブラシ３２を回転帯電ブラシ２２の軸方向に移動させることができる。
【００３８】
特に、清掃ブラシガイド４２により清掃ブラシ３２の回転帯電ブラシ２２の軸方向への移動が案内されるとともに、回転帯電ブラシ２２の周方向への移動が規制されることにより、清掃ブラシ３２の回転帯電ブラシ２２の軸方向への移動を円滑に行うことができ、また回転帯電ブラシ２２の回転に伴い清掃ブラシ３２が回転帯電ブラシ２２の周方向に移動（連れ回り）することがない。この結果、回転帯電ブラシ２２に強固に付着したトナーＴを確実に除去することができる。
【００３９】
また、清掃ブラシ３２の軸方向長さが回転帯電ブラシ２２の軸方向長さよりも短く構成されている場合でも、清掃ブラシ３２が回転帯電ブラシ２２の軸方向に移動するため、回転帯電ブラシ２２の軸方向の全範囲に強固に付着したトナーＴを確実に掻き落とすことができる。また、清掃ブラシ３２の寸法を小さくすることができるため、画像形成装置の製造コストを低コスト化でき、また、清掃ブラシ３２の設置スペースを省スペース化することができる。
【００４０】
また、清掃ブラシ３２の植毛部材３６の線径が回転帯電ブラシ２２の導電性繊維体２６の線径よりも大きくなるように設定されているため、清掃ブラシ３２の植毛部材３６の剛性が回転帯電ブラシ２２の導電性繊維体２６の剛性よりも高くなる。これにより、回転帯電ブラシ２２の導電性繊維体２６に強固に付着したトナーＴを確実に掻き落とすことができる。
【００４１】
次に、本発明の第２実施形態に係る画像形成装置について説明する。
なお、第１実施形態に係る画像形成装置と同様の構成については同符号を付し、その説明を適宜省略する。
【００４２】
図４に示すように、本実施形態の画像形成装置を構成する回転帯電ブラシ２２の回転軸２４には、カム部材５０が回転軸２４と共に軸回りに回転できるように同軸に取り付けられている。このカム部材５０の回転帯電ブラシ２２側の側面は、回転帯電ブラシ２２の軸方向と略直交する方向に対して傾斜した傾斜面５０Ａとなっている。
【００４３】
また、回転帯電ブラシ２２の近傍には、清掃ブラシ５２が配置されている。この清掃ブラシ５２は、直方体状のベース部材５４と、ベース部材５４の回転帯電ブラシ２２側と対向する側面に取り付けられ金属又は樹脂で構成された鋸歯状フリッカ５６と、を有している。また、清掃ブラシ５２の軸方向長さは、回転帯電ブラシ２２の軸方向長さと比較して短くなるように設定されている。
【００４４】
また、清掃ブラシ５２の近傍には、清掃ブラシ５２を覆うように清掃ブラシガイド５８が配置されている。この清掃ブラシガイド５８により、清掃ブラシ５２の回転帯電ブラシ２２の軸方向への移動が円滑に行われると共に、回転帯電ブラシ２２の回転に伴い清掃ブラシ５２が回転帯電ブラシ２２の周方向に移動することが規制される。
【００４５】
また、清掃ブラシ５２の軸方向一方側（図４中矢印Ｘ方向側）の端面５２Ａには、コイルばね６０の一端が取り付けられている。このコイルばね６０の他端は、清掃ブラシガイド５８に取り付けられている。これにより、清掃ブラシ５２には、コイルばね６０から付勢力（弾性力）が清掃ブラシ５２の軸方向他方側に配置された後述の押圧部材６２に向かって作用している。
【００４６】
また、清掃ブラシ５２の軸方向他方側（図４中矢印Ｙ方向側）の端面５２Ｂには、押圧部材６２が配置されている。この押圧部材６２の一方の側面は清掃ブラシ５２の軸方向他方側側面５２Ｂと接触しているとともに、押圧部材６２の他方の側面はカム部材５０の傾斜面５０Ａと接触している。
【００４７】
次に、本実施形態の画像形成装置の作用について説明する。
【００４８】
図４に示すように、回転帯電ブラシ２２が回転すると、回転帯電ブラシ２２の回転軸２４と共にカム部材５０が回転する。カム部材５０が回転すると、押圧部材６２がカム部材５０の傾斜面５０Ａで回転帯電ブラシ２２側に突出している部位により清掃ブラシ５２の軸方向一方側（図４中矢印Ｘ方向側）に押圧される。押圧部材６２が清掃ブラシ５２の軸方向一方側（図４中矢印Ｘ方向側）に押圧されると、押圧部材６２からの押圧力がコイルばね６０の付勢力（弾性力）よりも大きくなるため、清掃ブラシ５２がコイルばね６０の付勢力（弾性力）に抗して清掃ブラシ５２の軸方向一方側（図４中矢印さ方向側）に移動する。
【００４９】
一方、カム部材５０が回転し、カム部材５０の傾斜面５０Ａで回転帯電ブラシ２２の側面から大きく離間した部位が押圧部材６２に接触すると、コイルばね６０の付勢力（弾性力）が押圧部材６２からの押圧力よりも大きくなるため、清掃ブラシ５２が清掃ブラシ５２の軸方向他方側（図４中矢印Ｙ方向側）に移動する。
【００５０】
以上のように、カム部材５０が回転すると、清掃ブラシ５２がその軸方向一方側（図４中矢印Ｘ方向側）又は軸方向他方側（図４中矢印Ｙ方向側）に移動し続ける。このように、清掃ブラシ５２が回転帯電ブラシ２２の軸方向に移動すると、回転帯電ブラシ２２の導電性繊維体２６に付着したトナーＴが清掃ブラシ５２の鋸歯状フリッカ５６により掻き落とされる。清掃ブラシ５２が回転帯電ブラシ２２の軸方向に移動しながらトナーＴを掻き落とすことにより、回転帯電ブラシ２２の導電性繊維体２６に強固に付着したトナーＴも確実に掻き落とすことができる。この結果、感光体ドラム（図１参照）１６に帯電不良が生じることを防止でき、感光体ドラム１６に形成される静電潜像に悪影響を及ぼすことを防止できる。
【００５１】
また、カム部材５０と押圧部材６２とコイルばね６０とを用いることにより、簡易な構成で掃除ブラシ５２を回転帯電ブラシ２２の軸方向に移動させることができる。
【００５２】
特に、清掃ブラシ５２は金属又は樹脂で構成された鋸歯状フリッカ５６を有するため、鋸歯状フリッカ５６の剛性が回転帯電ブラシ２２の導電性繊維体２６の剛性よりも高くなる。これにより、回転帯電ブラシ２２の導電性繊維体２６に強固に付着したトナーＴを確実に掻き落とすことができる。
【００５３】
なお、上記実施形態では、ブラシとして、感光体ドラム１６の表面を帯電させる回転帯電ブラシ２２を例にとり説明したが、回転帯電ブラシ２２に限られるものではなく、例えば、感光体ドラム１６の表面から残留トナーや紙粉などの異物を回収するクリーニングブラシに対しても清掃ブラシ３２（５２）を作用させることにより本発明を容易に適用することができる。
【図面の簡単な説明】
【００５４】
【図１】本発明の第１実施形態に係る画像形成装置のドラムユニットと現像ユニットを示す構成図である。
【図２】本発明の第１実施形態に係る画像形成装置の要部を示す斜視図である。
【図３】本発明の第１実施形態に係る画像形成装置を構成するカム部材のカム溝にカムコロが収容された状態図である。
【図４】本発明の第２実施形態に係る画像形成装置の要部を示す構成図である。
【符号の説明】
【００５５】
１６        感光体ドラム
２２        回転帯電ブラシ（ブラシ）
２４        回転軸
２６        導電性繊維体（ブラシ側繊維部）
２８        カム部材（移動部材）
３０        カム溝
３２        清掃ブラシ（清掃部材）
３６        植毛部材（清掃側繊維部）
４０        カムコロ（移動部材）
４２        清掃ブラシガイド（ガイド部材）
５０        カム部材（移動部材）
５２        清掃ブラシ（清掃部材）
５６        鋸歯状フリッカ（フリッカ部）
５８        清掃ブラシガイド（ガイド部材）
６０        コイルばね（付勢部材、移動部材）
６２        押圧部材（移動部材）
【図１】
2007003956.tif 000003
【図２】
2007003956.tif 000004
【図３】
2007003956.tif 000005
【図４】
2007003956.tif 000006